(57)【要約】  開用ハンドルを含む紙挟みであって、支持部とベースを有する基板と、コイルばねにより前記ベースに付勢されている挟持体及び、前記挟持体に梃子を形成する開用ハンドルとを含む紙挟み。使用者が紙挟みの開閉及び書類を挟む際に、直接に開用ハンドルを押さえれば、梃子原理により使用者の指を傷つけることなく簡単に挟持体を上げることができる。【選択図】図５
2009502577.tif 000002
【特許請求の範囲】
【請求項１】
開用ハンドルを含む紙挟みにおいて、支持部とベースを有する基板と、コイルばねにより前記ベースに付勢されている挟持体を含む紙挟みであって、前記挟持体に梃子を形成する開用ハンドルを含むことを特徴とする紙挟み。
【請求項２】
挟持体に支持部を支点として梃子を形成する開用ハンドルが設けられることを特徴とする請求項１記載の開用ハンドルを含む紙挟み。
【請求項３】
開用ハンドルが挟持体に設けられている一つの押圧片であって、当該押圧片の下部が保持部を形成し、挟持体に対し回転できるように挟持体に被さることを特徴とする請求項２記載の開用ハンドルを含む紙挟み。
【請求項４】
押圧片の上部に一つの引掛け用孔或は押圧しやすいように押圧片カバーが設けられることを特徴とする請求項３記載の開用ハンドルを含む紙挟み。
【請求項５】
開用ハンドルが直接に挟持体の曲がりで形成されることを特徴とする請求項１記載の開用ハンドルを含む紙挟み。
【発明の詳細な説明】
【技術分野】
【０００１】
この発明は書類などを挟持することができる紙挟みに関し、特に開用ハンドルが設けられる紙挟みに関する。
【背景技術】
【０００２】
従来の紙挟みは、書類を挟むため紙挟みを開く際に、通常、使用者がまず直接に紙挟みの挟持体を上げてから、挟持体の下に紙を挿しいれることとする。このタイプの紙挟みは相当使いにくく、また不意に使用者の指を傷つけることもある。
【発明の開示】
【発明が解決しようとする課題】
【０００３】
この発明が解決しようとする課題は、従来の紙挟みの開閉及び書類を挟むのに力がかかり、また使用者の指を傷つけやすい等欠陥を克服し、開用ハンドルを設け、加えて梃子原理を利用して、開きやすく書類を挟むことのできる新しいタイプの紙挟みを提供することである。
【課題を解決するための手段】
【０００４】
（発明の内容）
上述した課題を解決するための手段は下記の通りである。開用ハンドルを含む紙挟みであって、支持部とベースを有する基板と、コイルばねにより前記ベースに付勢されている挟持体及び、前記挟持体に梃子を形成する開用ハンドルとを含む紙挟み。
【０００５】
さらに、挟持体に支持部を支点として梃子を形成する開用ハンドルを設けてもよい。
【０００６】
また、開用ハンドルは、挟持体に設けられている一つの押圧片であって、当該押圧片の下部は、保持部を形成し、挟持体に対し回転できるように挟持体に被さり、この押圧片の上部に一つの引掛け用孔或は押圧片カバーが設けられることが好ましい。
【０００７】
また、開用ハンドルは、挟持体の曲がりで形成してもよい。
【発明の効果】
【０００８】
この発明によれば、使用者が紙挟みの開閉及び書類を挟む際に、直接に開用ハンドルを押さえれば、梃子原理により使用者の指を傷つけることなく簡単に挟持体を上げることができる。また、この発明によるデザインは、開用ハンドルに引掛け用孔或は押圧片カバーが設けられ、人間性と便利性に恵まれている。
【発明を実施するための最良の形態】
【０００９】
以下は図面を参照して本発明の実施の形態を説明する。
【００１０】
図１から図６までは本発明の第一の実施の形態を示す図面である。支持部１とベース２を有する基板と、コイルばね３により前記ベース２に付勢されている挟持体４を含む紙挟みであって、前述基板に紙挟みを台板９に固定する取付孔８が設けられ、挟持体４には支持部１を支点として梃子を形成する開用ハンドルが形成される。開用ハンドルは、挟持体に設けられている一つの押圧片５であって、当該押圧片５の下部は、保持部６を形成し、挟持体４に対し回転できるように挟持体４に被さり、この押圧片５の上部に一つの引掛け用孔７が設けられる。
【００１１】
図７から図９までは本発明の第二の実施の形態を示す図面である。支持部１とベース２を有する基板と、コイルばね３により前記ベース２に付勢されている挟持体４を含む紙挟みであって、前述基板に紙挟みを台板９に固定する取付孔８が設けられ、挟持体４には支持部１を支点として梃子を形成する開用ハンドルが形成される。開用ハンドルは、挟持体に設けられている一つの押圧片５であって、当該押圧片５の下部は、保持部６を形成し、挟持体４に対し回転できるように挟持体４に被さり、この押圧片５の上部に押圧しやすいよう一つの軟らかい押圧片カバー１０が設けられる。
【００１２】
図１０から図１２までは本発明の第三の実施の形態を示す図面である。支持部１とベース２を有する基板と、コイルばね３により前記ベース２に付勢されている挟持体４を含む紙挟みであって、前述基板に紙挟みを台板９に固定する取付孔８が設けられ、開用ハンドルは、挟持体４の中部をΩ型に曲がって形成され、しかも同じく支持部１を支点として梃子が形成される。
【００１３】
前述紙挟みの使用に際し、開用ハンドルを押し倒して、梃子原理により容易に挟持体４を上げてから、差し入れようとする紙を挟持体４と台板９の間において、開用ハンドルを再びセットすればよい。
【図面の簡単な説明】
【００１４】
【図１】この発明にかかる第一の実施形態の構成を示す図面である。
【図２】この発明にかかる第一の実施形態における挟持体、押圧片及びコイルばねとの接続関係を示す図面である。
【図３】この発明にかかる第一の実施形態における底面図、正面図、上面図、側面図及び背面図である。
【図４】この発明にかかる第一の実施形態の分解構成を示す図面である。
【図５】この発明にかかる第一の実施形態の使用状態の参考図面1である。
【図６】この発明にかかる第一の実施形態の使用状態の参考図面2である。
【図７】この発明にかかる第二の実施形態の構成を示す図面である。
【図８】この発明にかかる第二の実施形態における底面図、正面図、上面図、側面図及び背面図である。
【図９】この発明にかかる第二の実施形態の分解構成を示す図面である。
【図１０】この発明にかかる第三の実施形態の構成を示す図面である。
【図１１】この発明にかかる第三の実施形態における底面図、正面図、上面図、側面図及び背面図である。
【図１２】この発明にかかる第三の実施形態の分解構成を示す図面である。
【符号の説明】
【００１５】
１  支持部
２  ベース
３  コイルばね
４  挟持体
５  押圧片
６  保持部
７  引掛け用孔
８  取付孔
９  台板
１０  押圧片カバー
【図１】
2009502577.tif 000003
【図２】
2009502577.tif 000004
【図３】
2009502577.tif 000005
【図４】
2009502577.tif 000006
【図５】
2009502577.tif 000007
【図６】
2009502577.tif 000008
【図７】
2009502577.tif 000009
【図８】
2009502577.tif 000010
【図９】
2009502577.tif 000011
【図１０】
2009502577.tif 000012
【図１１】
2009502577.tif 000013
【図１２】
2009502577.tif 000014
【国際調査報告】
2009502577.tif 000015
2009502577.tif 000016
2009502577.tif 000017
2009502577.tif 000018
2009502577.tif 000019
2009502577.tif 000020